(57)【要約】【課題】不要な説明を省き、効率的なインフォームドコンセントを実現することのできる情報提示を行うことを目的とする。【解決手段】患者の状態を示す患者情報を取得する取得手段と、患者情報に基づいて、患者の心理状態を推定する推定手段と、患者への説明資料を表示手段に表示させる表示制御手段と、説明者による、説明資料における説明箇所を特定する特定手段と、心理状態及び特定された説明箇所に基づいて、補足資料を選択する選択手段と、を有し、表示制御手段は、選択された補足資料の選択を受け付ける受付情報を表示手段にさらに表示させることを特徴とする。【選択図】図２
2015170120.tif 000002
【特許請求の範囲】
【請求項１】
患者の状態を示す患者情報を取得する取得手段と、
前記患者情報に基づいて、患者の心理状態を推定する推定手段と、
患者への説明資料を表示手段に表示させる表示制御手段と、
説明者による、前記説明資料における説明箇所を特定する特定手段と、
前記心理状態及び前記特定された説明箇所に基づいて、補足資料を選択する選択手段と、
を有し、
前記表示制御手段は、前記選択された補足資料の選択を受け付ける受付情報を前記表示手段にさらに表示させることを特徴とする情報処理装置。
【請求項２】
前記心理状態に基づいて、前記受付情報を前記表示手段に表示させるか否かを判断する判断手段をさらに有し、
前記選択手段は、前記受付情報を前記表示手段に表示させると判断された場合に、前記補足資料を選択することを特徴とする請求項１に記載の情報処理装置。
【請求項３】
前記推定手段は、患者が不安な状態か否かを推定し、
前記判断手段は、患者が不安な状態である場合に、前記受付情報を前記表示手段に表示させると判断することを特徴とする請求項２に記載の情報処理装置。
【請求項４】
前記選択手段は、説明箇所と補足資料とを対応付けて記憶する記憶手段において、前記特定された説明箇所に対応付けられた補足資料を選択することを特徴とする請求項１乃至３何れか１項に記載の情報処理装置。
【請求項５】
前記選択手段は、外部装置に設けられた前記記憶手段において前記補足資料を選択することを特徴とする請求項４に記載の情報処理装置。
【請求項６】
前記特定手段は、前記説明箇所として、前記説明資料に含まれる複数のページのうち一部のページを特定することを特徴とする請求項１乃至５何れか１項に記載の情報処理装置。
【請求項７】
前記特定手段は、前記説明箇所として、前記説明資料に含まれる複数のページのうち一のページ中の一部の領域を特定することを特徴とする請求項１乃至５何れか１項に記載の情報処理装置。
【請求項８】
前記表示制御手段は、ユーザにより前記受付情報が選択された場合に、前記受付情報に対応する前記補足資料を前記表示手段に表示させることを特徴とする請求項１乃至７何れか１項に記載の情報処理装置。
【請求項９】
ユーザにより前記受付情報が選択された場合に、前記受付情報に対応する前記補足資料を印刷する印刷手段をさらに有することを特徴とする請求項１乃至８何れか１項に記載の情報処理装置。
【請求項１０】
前記特定手段は、前記表示手段に表示中の情報に基づいて、前記説明箇所を特定することを特徴とする請求項１乃至９何れか１項に記載の情報処理装置。
【請求項１１】
前記特定手段は、マイクにより集音された音声に基づいて、前記説明箇所を特定することを特徴とする請求項１乃至１０何れか１項に記載の情報処理装置。
【請求項１２】
前記受付情報の選択回数を、前記受付情報に対応付けて記録する記録手段と、
前記選択回数に応じて、前記受付情報の配列を決定する配列決定手段と
をさらに有し、
前記表示手段は、前記配列決定手段により決定された配列で、前記受付情報を表示することを特徴とする請求項１乃至１１何れか１項に記載の情報処理装置。
【請求項１３】
前記選択手段は、予め定められた閾値以下の数の前記補足資料を選択することを特徴とする請求項１乃至１２何れか１項に記載の情報処理装置。
【請求項１４】
情報処理装置が実行する情報処理方法であって、
患者の状態を示す患者情報を取得する取得ステップと、
前記患者情報に基づいて、患者の心理状態を推定する推定ステップと、
患者への説明資料を表示手段に表示させる表示制御ステップと、
説明者による、前記説明資料における説明箇所を特定する特定ステップと、
前記心理状態及び前記特定された説明箇所に基づいて、補足資料を選択する選択ステップと、
を含み、
前記表示制御ステップでは、前記選択された補足資料の選択を受け付ける受付情報を前記表示手段にさらに表示させることを特徴とする情報処理方法。
【請求項１５】
前記心理状態に基づいて、前記受付情報を前記表示手段に表示させるか否かを判断する判断ステップをさらに含み、
前記選択ステップでは、前記受付情報を前記表示手段に表示させると判断された場合に、前記補足資料を選択することを特徴とする請求項１４に記載の情報処理方法。
【請求項１６】
前記推定ステップでは、患者が不安な状態か否かを推定し、
前記判断ステップでは、患者が不安な状態である場合に、前記受付情報を前記表示手段に表示させると判断することを特徴とする請求項１５に記載の情報処理方法。
【請求項１７】
前記選択ステップでは、説明箇所と補足資料とを対応付けて記憶する記憶手段において、前記特定された説明箇所に対応付けられた補足資料を選択することを特徴とする請求項１４乃至１６何れか１項に記載の情報処理方法。
【請求項１８】
コンピュータに、請求項１４乃至１７何れか１項に記載の情報処理方法の各ステップを実行させるためのプログラム。
【発明の詳細な説明】
【技術分野】
【０００１】
本発明は、情報処理装置、情報処理方法及びプログラムに関する。
【背景技術】
【０００２】
近年、医療の現場においては、インフォームドコンセントが重要視されてきている。医師が時間をかけ丁寧に、病状や治療内容等を説明するインフォームドコンセントにより、患者は、病状等の理解を深め、治療等への不安を解消することができる。
インフォームドコンセントを支援するシステムとして、例えば特許文献１には、治療パス一覧を作成し、作成された治療パス一覧を、医師や患者が利用する情報端末に送信するシステムが開示されている。また、ユーザに情報を提示するシステムとしては、例えば、特許文献２には、ユーザの状態に応じて情報内容を決定するシステムが開示されている。
ところで、患者との間の信頼関係を構築するためには、医師は、患者に対面して病状等の説明を行うべきである。しかしながら、現実には説明のための時間は限られていることから、医師は、一般的な資料を提示しながら、病状等を説明し、患者に応じて適宜補助的な説明を口頭で行うこととなる。口頭で説明する内容についても、患者に提示する資料があれば、患者は、理解度をさらに深めることができる。
【先行技術文献】
【特許文献】
【０００３】
【特許文献１】特開２００６−７２５３３号公報
【特許文献２】特開２０１０−９４１３号公報
【発明の概要】
【発明が解決しようとする課題】
【０００４】
しかしながら、患者によって知識背景が異なり、知識の少ない患者にとっては有用な説明や資料も、知識の豊富な患者にとっては、冗長な説明、不要な資料となるケースもある。
【０００５】
本発明はこのような問題点に鑑みなされたもので、不要な説明を省き、効率的なインフォームドコンセントを実現することのできる情報提示を行うことを目的とする。
【課題を解決するための手段】
【０００６】
そこで、本発明は、情報処理装置であって、患者の状態を示す患者情報を取得する取得手段と、前記患者情報に基づいて、患者の心理状態を推定する推定手段と、患者への説明資料を表示手段に表示させる表示制御手段と、説明者による、前記説明資料における説明箇所を特定する特定手段と、前記心理状態及び前記特定された説明箇所に基づいて、補足資料を選択する選択手段と、を有し、前記表示制御手段は、前記選択された補足資料の選択を受け付ける受付情報を前記表示手段にさらに表示させることを特徴とする。
【発明の効果】
【０００７】
本発明によれば、不要な説明を省き、効率的なインフォームドコンセントを実現することのできる情報提示を行うことができる。
【図面の簡単な説明】
【０００８】
【図１】情報処理システムを示す図である。
【図２】ＰＣを示す図である。
【図３】補足資料選択部による処理を説明するための図である。
【図４】ディスプレイの表示例を示す図である。
【図５】説明資料表示処理を示すフローチャートである。
【図６】補足資料追加処理を示すフローチャートである。
【図７】ページ表示処理を示すフローチャートである。
【図８】情報処理システムを示す図である。
【図９】ＰＣを示す図である。
【図１０】説明結果記録処理に続く処理を示すフローチャートである。
【図１１】印刷物の一例を示す図である。
【発明を実施するための形態】
【０００９】
以下、本発明の実施形態について図面に基づいて説明する。
【００１０】
（第１の実施形態）
図１は、第１の実施形態に係る情報処理システム１００を示す図である。情報処理システム１００は、情報処理装置としてのＰＣ１０１と、表示画面としてのディスプレイ１０２と、操作部１０３と、センサ１０４とを有している。ＰＣ１０１は、情報処理システム１００全体を制御する。ＰＣ１０１は、ＣＰＵ、ＲＯＭ、ＲＡＭ、ＨＤＤを有している。ＰＣ１０１はまた、ディスプレイ１０２、操作部１０３及びセンサ１０４とのインタフェースを有している。なお、後述するＰＣ１０１の機能や処理は、ＣＰＵがＲＯＭ又はＨＤＤに格納されているプログラムを読み出し、このプログラムを実行することにより実現されるものである。
ディスプレイ１０２は、各種情報を表示する。ディスプレイ１０２は、例えば、説明資料や補足資料を表示する。ここで、説明資料は、患者に病状等を説明するための一般的な説明において参照される情報である。すなわち、説明資料は、インフォームドコンセントに必要な情報である。補足資料は、説明資料中の内容を補足するための情報である。すなわち、補足資料は、患者の理解度を深めるための情報である。
【００１１】
操作部１０３は、ＰＣ１０１への操作入力を行うユーザインタフェースである。操作部１０３は、例えばマウスやキーボードである。医師等の説明者は、操作部１０３を操作し、適宜説明資料や補足資料をディスプレイに表示させながら、患者に対し病状等を説明する。これにより、インフォームドコンセントが実現される。
センサ１０４は、患者の状態を観察する。センサ１０４は、具体的には、カメラである。ＰＣ１０１は、センサ１０４から取得した情報に基づいて、センサ１０４によって観察される患者の心理情報を推定する。そして、ＰＣ１０１は、推定結果に応じて、適宜ディスプレイ１０２に表示している説明資料に加えて、説明資料の内容を補足する説明において参照される補足資料をディスプレイ１０２に表示する。
【００１２】
図２は、ＰＣ１０１を示す図である。ＰＣ１０１は、機能構成として、患者情報取得部２０１と、心理状態推定部２０２と、判断部２０３と、説明箇所特定部２０４と、補足資料選択部２０５と、表示制御部２０６と、受付部２０７とを有している。
患者情報取得部２０１は、センサ１０４から患者情報を取得する。ここで、患者情報は、患者の状態を示す情報であり、具体的には、センサ１０４としてのカメラにより撮影された患者の動画像である。心理状態推定部２０２は、患者情報に基づいて、患者の心理状態を推定する。本実施形態にかかる心理状態推定部２０２は、患者が不安な心理状態か否かを推定する。心理状態推定部２０２は、具体的には、患者情報としての動画像に基づいて、一定時間内の患者の頷き回数をカウントし、頷き回数が閾値以下である場合に、不安な状態と推定する。ここで、閾値は、例えば、設計者等により決定され、予めＨＤＤ等に格納されているものとする。
【００１３】
判断部２０３は、心理状態推定部２０２による推定結果に基づいて、補足資料のサムネイルをディスプレイ１０２に表示するか否かを判断する。具体的には、判断部２０３は、不安な状態と推定された場合に、補足資料のサムネイルを表示すると判断する。
説明箇所特定部２０４は、医師による説明箇所を特定する。説明箇所特定部２０４は、具体的には、ディスプレイ１０２に表示されている情報から、患者の病名と、医師が説明中の場面とを説明箇所として特定する。説明箇所特定部２０４は、ディスプレイ１０２に表示されている説明資料の内容に対しテキスト解析を行うことにより、予め登録された病名を検索する。そして、検出した病名を患者の病名として特定する。また、説明箇所特定部２０４は、同様にテキスト解析により得られた文字列から場面を特定する。なお、場面は、説明資料に含まれる複数のページそれぞれに対応するものとする。
補足資料選択部２０５は、判断部２０３により、補足資料のサムネイルを表示すると判断された場合に、説明箇所特定部２０４により特定された説明箇所に基づいて、１又は２以上の補足資料を選択する。
【００１４】
次に、図３を参照しつつ、補足資料選択部２０５による処理を説明する。図３に示す対応テーブル３００は、病名と説明の場面の組み合わせと、補足資料とを対応付ける情報である。対応テーブル３００において、例えば病名「肺がん」と、場面「診断根拠」の組に対しては、「一般的な診断方法」、「今回の画像診断の見方」、「他人の例」の３つの補足資料が対応付けられている。なお、対応テーブル３００は、予めＨＤＤ等に格納されているものとする。
補足資料選択部２０５は、説明箇所特定部２０４により特定された患者の病名と、場面との組み合わせに基づいて、対応テーブル３００を参照して、補足資料を選択する。例えば、説明箇所特定部２０４により、病名「肺がん」、場面「診断根拠」の説明箇所が特定されたとする。この場合には、補足資料選択部２０５は、対応テーブル３００を参照し、「一般的な診断方法」、「今回の画像診断の見方」、「他人の例」の３つの補足資料を選択する。
【００１５】
なお、他の例としては、説明箇所特定部２０４は、説明箇所として説明資料中の単語を特定してもよい。具体的には、説明箇所特定部２０４は、ディスプレイ１０２に表示されている説明資料において、予め登録されている登録単語を検索する。この場合、補足資料選択部２０５は、登録単語と、複数の補足資料とを対応付けた対応テーブルを参照し、登録単語に対する複数の補足資料を選択する。
さらに他の例としては、情報処理システムは、マイクをさらに有してもよい。そして、説明箇所特定部２０４は、マイクにより集音された医師の発話に対応する音声から登録単語を検索し、検出した登録単語を説明箇所として特定してもよい。
また、他の例としては、対応テーブル３００は、ＰＣ１０１と異なる外部装置に設けられていてもよい。この場合には、補足資料選択部２０５は、ネットワークを介して外部装置の対応テーブル３００を参照し、補足資料を選択する。
【００１６】
図２に戻り、表示制御部２０６は、説明資料の選択を受け付けるための受付情報として、サムネイルをディスプレイ１０２に表示する。表示制御部２０６はまた、補足資料選択部２０５により選択された補足資料の選択を受け付けるための受付情報として、サムネイルをディスプレイ１０２に表示する。表示制御部２０６は、サムネイルが選択された場合に、サムネイルに対応する説明資料又は補足資料をディスプレイ１０２に表示する（表示制御処理）。
受付部２０７は、ユーザからの指示を受け付ける。受付部２０７は例えば、医師により入力されたサムネイルの選択指示を受け付ける。なお、受付部２０７がサムネイルの選択指示を受け付けた場合、表示制御部２０６は、選択指示にかかるサムネイルに対応する説明資料や補足資料をディスプレイ１０２に表示する。
【００１７】
なお、本実施形態においては、図２に示す各機能は、ＣＰＵ等によりプログラムを実行することにより実現されるものとするが、他の例としては、図２に示す各機能は、それぞれハードウェアにより実現されるものであってもよい。
【００１８】
図４は、ディスプレイ１０２の表示例を示す図である。ディスプレイ１０２の中央領域４１０には、医師が説明中に参照している説明資料が表示されている。左側領域４２０には、医師により準備された複数の説明資料それぞれに対応するサムネイル４２１，４２２…が表示されている。また、右側領域４３０には、中央領域４１０に表示中の説明資料に基づいて選択された補足資料のサムネイル４３１，４３２…が表示されている。
医師は、説明の流れに沿って、順次、自身が準備した説明資料のサムネイル４２１，４２２…を選択する。そして、受付部２０７が、医師による選択指示を受け付けると、表示制御部２０６は、選択指示に係るサムネイルに対応する説明資料、すなわち説明資料中の本文を中央領域４１０に表示する。
さらに、中央領域４１０に説明資料が表示されており、表示中の説明資料に対応する補足資料が補足資料選択部２０５により選択されているとする。この場合、右側領域４３０には、選択された補足資料のサムネイルが表示される。さらに、医師により補足資料のサムネイルが選択された場合には、中央領域４１０に、選択されたサムネイルに対応する補足資料が表示される。
【００１９】
医師は、補足資料のサムネイルを選択することにより、複数の補足資料の中から、患者に合った補足資料をディスプレイ１０２に表示させ、これを参照しながら、患者への補足説明を行うことができる。
一般に、患者の知識や、合併症の有無等が異なるため、同じ病気の患者であっても、説明すべき内容を一意に決めることは難しい。これに対し、本実施形態にかかるＰＣ１０１は、複数の補足資料を表示可能に、これらに対応するサムネイルを表示する。すなわち、医師による選択の余地が残されているので、医師は、補足資料を利用しながら、患者に対し適切な説明を行うことができる。
【００２０】
図５は、ＰＣ１０１による説明資料表示処理を示すフローチャートである。ＰＣ１０１は、医師等の操作者により、予め準備され、ＨＤＤ等に格納されている一連の説明資料（複数の説明資料）のページがディスプレイ１０２に表示された場合に、説明資料表示処理が開始する。初期状態においては、補足資料は選択されていないため、ディスプレイ１０２には、複数の説明資料それぞれに対応するサムネイルと、医師により選択された説明資料のみが表示されている。
なお、説明資料表示処理においては、ステップＳ５０１〜ステップＳ５０９はループ処理であり、医師により説明終了の指示が入力されるまで、ループ処理が定期的に繰り返し実行される。
【００２１】
ステップＳ５０１において、ＰＣ１０１の説明箇所特定部２０４は、中央領域４１０に表示中のページが、説明資料中のページか否かにより説明箇所が説明資料内の箇所か否かを確認する。説明箇所特定部２０４は、説明箇所が説明資料内の箇所である場合には、処理をステップＳ５０２へ進める。説明箇所特定部２０４は、説明箇所が説明資料内の箇所でない場合には、処理をステップＳ５０８へ進める。
ステップＳ５０２において、患者情報取得部２０１は、患者情報を取得する（取得処理）。次に、ステップＳ５０３において、心理状態推定部２０２は、ステップＳ５０２において得られた患者情報に基づいて、患者の心理状態を推定する（推定処理）。心理状態推定部２０２は、具体的には、不安な状態か否かを推定する。心理状態推定部２０２はさらに、推定した推定時刻に対応付けて、推定結果としての心理状態を時系列に沿ってＨＤＤ等に記録する。
【００２２】
次に、ステップＳ５０４において、説明箇所特定部２０４は、病名を既に特定したか否かを確認する。なお、説明箇所特定部２０４は、ＨＤＤ等に病名が格納されている場合に、病名を既に特定したと判断する。説明箇所特定部２０４は、病名を特定済みである場合には（ステップＳ５０４でＹｅｓ）、処理をステップＳ５０６へ進める。説明箇所特定部２０４は、病名を特定していない場合には（ステップＳ５０４でＮｏ）、処理をステップＳ５０５へ進める。
ステップＳ５０５において、説明箇所特定部２０４は、病名を特定し、特定した病名をＨＤＤ等に格納する。説明箇所特定部２０４は、具体的には、中央領域４１０に表示中のページに含まれるテキスト情報を解析し、対応テーブル３００に登録されている病名の文字列を検索する。そして、説明箇所特定部２０４は、検出した病名を、患者の病名として特定する。なお、病名は、説明箇所の一例であり、ステップＳ５０５の処理は、説明箇所を特定する特定処理の一例である。
【００２３】
次に、ステップＳ５０６において、判断部２０３は、心理状態が不安な状態である場合には（ステップＳ５０６でＹｅｓ）、処理をステップＳ５０７へ進める。一方で、判断部２０３は、心理状態が不安な状態でない場合には（ステップＳ５０６でＮｏ）、処理をステップＳ５０８へ進める。なお、ステップＳ５０６の処理は、患者の心理状態に基づいて、補足資料のサムネイル（受付情報）を表示するか否かを判断する判断処理の一例である。
ステップＳ５０７において、補足資料選択部２０５等は、補足資料追加処理を行う。補足資料追加処理は、補足資料のサムネイルをディスプレイ１０２に表示する処理である。補足資料追加処理については図６を参照しつつ後述する。
次に、ステップＳ５０８において、表示制御部２０６等は、ページ表示処理を行う。ページ表示処理は、医師による操作に応じて、中央領域４１０に表示する表示ページを切り替える処理である。ページ表示処理については、図７を参照しつつ後述する。
【００２４】
次に、ステップＳ５０９において、ＰＣ１０１のＣＰＵは、説明を終了するか否かを判断する。ＣＰＵは、説明を終了すると判断した場合には（ステップＳ５０９でＹｅｓ）、処理をステップＳ５１０へ進める。ステップＳ５０９において、ＣＰＵは、説明を終了しないと判断した場合には（ステップＳ５０９でＮｏ）、処理をＳ５０１へ進める。なお、ＣＰＵは、説明資料の最終ページが表示された場合に説明終了と判断するものとする。
また、他の例としては、情報処理システム１００は、さらにマイクを有し、ＣＰＵは、医師による説明終了の音声がマイクに入力された場合に、説明終了と判断してもよい。また、他の例としては、ＣＰＵは、ディスプレイ１０２に表示された終了ボタンが押下された場合に、説明終了と判断してもよい。
ステップＳ５１０において、心理状態推定部２０２は、説明資料の表示時刻、時間毎の患者の心理状態、不安が解消された時刻と、このとき表示された補足資料のページ番号等を説明資料に対応付けてＨＤＤ等に記録し、処理を終了する。
【００２５】
図６は、補足資料追加処理における詳細な処理を示すフローチャートである。ステップＳ６０１において、ＣＰＵは、中央領域４１０に表示されている表示ページが既に表示済みのページと同一のページであるか否かを判断する。ＣＰＵは、表示ページが表示済みのページと同一ページでない場合には（ステップＳ６０１でＮｏ）、処理をステップＳ６０２へ進める。ＣＰＵは、表示ページが表示済みのページと同一の場合には（ステップＳ６０１でＹｅｓ）、処理をステップＳ６０７へ進める。
ステップＳ６０２において、説明箇所特定部２０４は、場面を特定する。ここで、場面は、説明箇所の一例であり、ステップＳ６０２の処理は、特定処理の一例である。
次に、ステップＳ６０３において、補足資料選択部２０５は、説明箇所特定部２０４により特定された説明箇所、すなわち病名と場面との組み合わせに基づいて、対応テーブル３００を参照し、補足資料を選択する（選択処理）。なお、ステップＳ６０３において、補足資料選択部２０５は、対応テーブル３００において、説明箇所に対応付けられているすべての補足資料を選択するものとする。
【００２６】
なお、他の例としては、補足資料選択部２０５は、予め設定された上限（閾値）数の補足資料を選択することとしてもよい。この場合には、対応テーブル３００に上限数を超える補足資料が格納されている場合であっても、補足資料選択部２０５は、上限数以下の補足資料のみを選択することする。
さらに、この場合には、補足資料選択部２０５は、ステップＳ５１０においてＨＤＤに記録された情報を参照し、過去に不安を解消するのに役立った順に上限数の補足資料を選択することとしてもよい。
【００２７】
次に、ステップＳ６０４において、表示制御部２０６は、ステップＳ６０３において選択された各補足資料に対応するサムネイルの配列を、各補足資料に対応するサムネイルが選択された選択回数に基づいて決定する（配列決定処理）。具体的には、表示制御部２０６は、ＨＤＤ等に格納された、各補足資料の選択回数を参照し、選択回数の多い順に、サムネイルを配列する。なお、選択回数は、図７を参照しつつ説明するステップＳ７０４において、ＨＤＤ等に格納される。他の例としては、表示制御部２０６は、過去に患者が不安を解消した回数順に、サムネイルを配列してもよい。
次に、ステップＳ６０５において、表示制御部２０６は、ステップＳ６０４において決定された配列で、補足資料のサムネイルをディスプレイ１０２の右側領域４３０に表示する。このとき、表示制御部２０６は、過去に説明された補足資料に、他の補足資料と区別するための印を付して表示してもよい。また、表示制御部２０６は、患者の心理状態に応じて、背景色を変化させてもよい。
次に、ステップＳ６０６において、補足資料選択部２０５は、ステップＳ６０４において選択した補足資料を、処理時に中央領域４１０に表示されている表示ページに対応付けてＨＤＤ等に記録する。以上で、補足資料追加処理が終了する。
一方、ステップＳ６０７において、補足資料選択部２０５は、既に同一ページが表示済みであるので、過去に患者に対して推薦済みの補足情報をＨＤＤ等から取得する。次に、Ｓ６０８において、説明箇所特定部２０４は、場面を特定し、補足資料選択部２０５は、病名と場面との組み合わせに基づいて、ＨＤＤ等から取得した補足資料以外の補足資料を選択し、処理をＳ６０５へ進める。、ステップＳ６０８では、患者に対し既に推薦された補足資料（ステップＳ６０７で取得した補足資料）と異なる補足資料が追加的に選択される。
【００２８】
図７は、ページ表示処理における詳細な処理を示すフローチャートである。ステップＳ７０１において、受付部２０７は、サムネイルの選択指示を受け付けたか否かを確認する（受付処理）。受付部２０７は、サムネイルの選択指示を受け付けた場合には（ステップＳ７０１でＹｅｓ）、処理をステップＳ７０２へ進める。受付部２０７は、サムネイルの選択指示を受け付けなかった場合には（ステップＳ７０１でＮｏ）、ページ表示処理を終了する。
ステップＳ７０２において、表示制御部２０６は、受付部２０７が受け付けた選択指示に係るサムネイルに対応する資料のページを表示する。選択指示に係るサムネイルが、説明資料に対応する場合には、表示制御部２０６は、説明資料中のページを表示する。選択指示にかかるサムネイルが、補足資料に対応する場合には、表示制御部２０６は、補足資料中のページを表示する。
【００２９】
次に、ステップＳ７０３において、ＣＰＵは、処理時点において中央領域４１０に表示中のページが補足資料中のページか否かを確認する。ＣＰＵは、表示中のページが補足資料中のページである場合には（ステップＳ７０３でＹｅｓ）、処理をステップＳ７０４へ進める。ＣＰＵは、表示中のページが補足資料中のページでない場合、すなわち説明資料中のページである場合には、ページ表示処理を終了する。
ステップＳ７０４において、ＣＰＵは、表示中のページを含む補足資料について医師による説明が行われたことをＨＤＤ等に記録する。ＣＰＵは、さらに表示中のページを含む補足資料の選択回数を補足資料に対応付けてＨＤＤ等に記録する（記録処理）。ＣＰＵは、補足資料に対応付けて選択回数が記録されている場合には、選択回数を１加算した値に更新する。以上で、ページ表示処理が終了する。
【００３０】
以上のように、本実施形態にかかる情報処理システムは、患者が不安な状態にある場合には、補足資料に対応するサムネイルを表示する。したがって、医師は、サムネイルを選択することにより、補足資料を患者に見せながら、補足説明を行うことができる。また、情報表示システムは、患者が不安な状態にない場合には、補足資料に対応するサムネイルを表示しない。したがって、医師は、患者に対する冗長な説明を省くことができる。さらに、情報表示システムは、複数のサムネイルを表示するので、医師は、患者に応じて、適切な補足資料を選択することができる。
一方、患者は、医師による補足説明においても、ディスプレイ１０２に表示された補足資料を参照することができるため、病状等についてより深く理解することができる。すなわち、情報処理システムは、不要な説明を省き、効率的なインフォームドコンセントを実現することのできる情報提示を行うことができる。
【００３１】
本実施形態にかかる情報処理システムは、病名と場面とを説明箇所として特定したが、説明箇所はこれに限定されるものではない。他の例としては、情報処理システムは、説明資料に含まれる複数のページのうち一部のページを説明箇所として特定してもよい。ここで、一部のページは、１又は２以上のページとする。この場合、対応テーブルは、一部のページと補足資料とを対応付けているものとする。
また、他の例としては、情報処理システムは、説明資料に含まれる複数のページのうち一のページ中の一部の領域を説明箇所として特定してもよい。この場合、対応テーブルは、一部の領域と補足資料とを対応付けているものとする。
【００３２】
（第２の実施形態）
次に、第２の実施形態に係る情報処理システムについて説明する。通常、医師は、インフォームドコンセントにかかる説明の終了時に、説明に用いた説明資料のコピーを患者に渡す。本実施形態にかかる情報処理システムは、説明資料だけでなく、補足説明に用いた補足資料のコピーも出力する。以下、第２の実施形態にかかる情報処理システムについて、第１の実施形態にかかる情報処理システムと異なる点について説明する。
図８に示すように、本実施形態にかかる情報処理システムは、プリンタ８０１をさらに有している。プリンタ８０１は、ＰＣ１０１からの指示に従い、説明資料及び補足資料を印刷する。図９は、ＰＣ１０１の機能構成を示すブロック図である。ＰＣ１０１は、第１の実施形態にかかるＰＣ１０１の機能構成に加えて、印刷処理部９０１をさらに有している。印刷処理部９０１は、プリンタ８０１に対し印刷指示を出す。印刷処理部９０１はまた、医師による説明終了後に、説明資料と補足資料を編集し、印刷用ドキュメントを生成する。
【００３３】
図１０は、図５を参照しつつ説明した説明結果記録処理（ステップＳ５１０）に続いて実行される処理を示すフローチャートである。ステップＳ１００１において、印刷処理部９０１は、医師による説明済み資料を収集する。具体的には、印刷処理部９０１は、ディスプレイ１０２に表示された説明資料と補足資料とを収集する。
次に、ステップＳ１００２において、印刷処理部９０１は、ステップＳ１００１において収集した説明資料と補足資料に基づいて印刷ドキュメントを生成する。具体的には、印刷処理部９０１は、説明資料のページの後に、説明資料の説明中にディスプレイ１０２に表示された補足資料を挿入する。図１１は、プリンタ８０１により得られた印刷物の一例を示す図である。このように、印刷物においては、医師が事前準備した説明資料のページの後に、補足資料のページが挿入されている。
【００３４】
次に、ステップ１００３において、印刷処理部９０１は、プリンタ８０１に対し印刷を要求する。プリンタ８０１は、ＰＣ１０１からの印刷要求に対応し、補足資料が挿入された説明資料の印刷物を出力する（印刷処理）。以上で、第２の実施形態にかかるＰＣ１０１による説明資料表示処理が終了する。
なお、第２の実施形態にかかる情報処理システムのこれ以外の構成及び処理は、他の実施形態にかかる情報処理システムの構成及び処理と同様である。
【００３５】
以上のように、第２の実施形態にかかる情報処理システムは、説明資料だけでなく、補足資料を印刷物として出力することができる。
【００３６】
本実施形態にかかる情報処理システムの第１の変更例としては、心理状態推定部２０２は、頷き回数以外に基づいて、患者が不安な心理状態か否かを推定してもよい。心理状態推定部２０２は、例えば、動画像を参照し、患者の自己タッチの回数が閾値以上である場合に、不安な状態と推定してもよい。
第２の変更例としては、患者情報取得部２０１は、患者の脈拍、音声、発汗の度合い、脳波又は視線方向を患者情報として取得し、心理状態推定部２０２は、これらの情報に基づいて、患者が不安な心理状態か否かを推定してもよい。
これらの場合には、センサ１０４は、これらの患者情報を取得可能であるものとする。すなわち、センサ１０４は、脈拍センサ、マイク、発汗センサ、脳波センサ又は視線センサであるものとする。そして、患者情報取得部２０１は、マイクにより得られた音声、発汗センサにより得られた発汗の度合い、脈拍センサにより得られた脈拍数、脳波センサにより得られた脳波又は視線センサにより得られた視線方向を患者情報として取得する。
【００３７】
第３の変更例としては、心理状態推定部２０２は、これら複数の情報のうち少なくとも２つの情報に基づいて、患者が不安な心理状態か否かを推定してもよい。
第４の変更例としては、心理状態推定部２０２は、不安の程度を推定してもよい。さらに、この場合には、補足資料選択部２０５は、説明箇所に加えて、不安の程度に基づいて、補足資料を選択してもよい。なお、この場合には、ＰＣ１０１のＨＤＤ等は、説明箇所と、不安の程度に組み合わせと、補足資料とを対応付ける対応テーブルしているものとする。
【００３８】
また、第５の変更例としては、心理状態推定部２０２は、無表情、喜び、驚き、恐怖、嫌悪、怒り、悲しみ、リラックス、興奮−鎮静、快−不快、緊張−弛緩等の心理状態を推定してもよい。さらに、心理状態推定部２０２は、例えば、恐怖、怒り、嫌悪を感じている場合に、患者が不安な心理状態であると推定してもよい。
なお、心理状態を推定する処理については、顔画像処理技術の動向（実利用が進む顔画像処理とその応用事例（前編））:情報処理  50(4),  319-326,  2009-04-15を参照することができる。また、Non-contact,  automated  cardiac  pulse  measurements  using  video  imaging  and  blind  source  separation:  Optics  Express,  Vol.  18,  Issue  10,  pp.  10762-10774  2010を参照することができる。また、特開2012-120206、ＷＯ09/001558等を参照することができる。
さらに、この場合において、補足資料選択部２０５は、説明箇所に加えて、無表情、喜び等心理状態推定部２０２が推定した心理状態に基づいて、補足資料を選択してもよい。
【００３９】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００４０】
以上、上述した各実施形態によれば、不要な説明を省き、効率的なインフォームドコンセントを実現することのできる情報提示を行うことができる。
【００４１】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００４２】
１００  情報処理システム、１０１  ＰＣ、１０２  ディスプレイ、１０３  操作部、１０４  センサ、２０１  患者情報取得部、２０２  心理状態推定部、２０３  判断部、２０４  説明箇所特定部、２０５  補足資料選択部、２０６  表示部、２０７  受付部
【図１】
2015170120.tif 000003
【図２】
2015170120.tif 000004
【図３】
2015170120.tif 000005
【図４】
2015170120.tif 000006
【図５】
2015170120.tif 000007
【図６】
2015170120.tif 000008
【図７】
2015170120.tif 000009
【図８】
2015170120.tif 000010
【図９】
2015170120.tif 000011
【図１０】
2015170120.tif 000012
【図１１】
2015170120.tif 000013